(57)【要約】【課題】底板を、フランジ部および据付用脚と一体形成することができ、フランジ部は連続しており、底板が十分な強度を有する空気調和機の室外ユニットを提供する。【解決手段】被据付部に固定されるための据付用脚６が一体成形されている底板１を備えた空気調和機の室外ユニットであって、底板１は、底板１の周縁に沿って上方へ折曲形成されたフランジ部５を備え、フランジ部５は、底板１の全周に連続して形成されていて、据付用脚６は、フランジ部５に接続されている支持部６ａと被据付部に直接固定される固定部６ｂとを備え、フランジ部５から延出した部分を折り曲げて形成されている。【選択図】  図３
2004360942.tif 000002
【特許請求の範囲】
【請求項１】
被据付部に固定されるための据付用脚が一体成形されている底板を備えた空気調和機の室外ユニットであって、
前記底板は、前記底板の周縁に沿って上方へ折曲形成されたフランジ部を備え、
前記フランジ部は、前記底板の全周に連続して形成されていて、
前記据付用脚は、前記フランジ部に接続されている支持部と前記被据付部に直接固定される固定部とを備え、前記フランジ部から延出した部分を折り曲げて形成されていることを特徴とする空気調和機の室外ユニット。
【請求項２】
前記支持部は、前記フランジ部に対して略平行となるように形成されている、請求項１に記載の空気調和機の室外ユニット。
【請求項３】
前記支持部と前記フランジ部とは密着している、請求項２に記載の空気調和機の室外ユニット。
【請求項４】
前記固定部は、当該支持部に対して略垂直となるように形成されている、請求項１ないし請求項３のいずれかに記載の空気調和機の室外ユニット。
【請求項５】
前記固定部は、前記被据付部に対して平行である、請求項１ないし請求項４に記載の空気調和機の室外ユニット。
【請求項６】
前記底板に備えられた前記フランジ部および前記底板に一体成形された前記据付用脚は、金属板をプレス加工することで形成される、請求項１ないし請求項５のいずれかに記載の空気調和機の室外ユニット。
【請求項７】
前記据付用脚の前記支持部と前記フランジ部とは、結合固定されている、請求項３に記載の空気調和機の室外ユニット。
【請求項８】
前記支持部と前記フランジ部とは、カシメ固定またはネジ固定によって結合固定されている、請求項７に記載の空気調和機の室外ユニット。
【発明の詳細な説明】
【０００１】
【発明の属する技術分野】
本発明は、分離型空気調和機の室外ユニットに関するものである。
【０００２】
【従来の技術】
分離型空気調和機は、室外ユニットと室内ユニットとによって構成されている。従来の空気調和機の室外ユニットにおいて、底板の作製においては、金属板をプレス加工によって形成するものがある（例えば、特許文献１参照）。このような従来の空気調和機の室外ユニットの底板は、底板の周縁に上方へ折曲形成されるフランジ部が設けられるとともに周縁の複数カ所が外方へ延出される据付用脚として一体に構成されている。従来の空気調和機の室外ユニットについて、図６および図７を用いて説明する。
【０００３】
図６は、従来の空気調和機の室外ユニット１００の内部を示す斜視図である。また、図７は、従来の空気調和機の室外ユニットに設けられた底板１０１の斜視図である。図６に示すように、従来の室外ユニット１００は、底板１０１上に圧縮機１０２と熱交換器１０３と送風機１０４とを搭載した構成である。図７に示すように、この底板１０１はその周縁に上方へ折曲形成されるフランジ部１０５が設けられ、かつ、周縁の複数箇所が外方へ延出されて、据付用脚１０６が形成されている。この据付用脚１０６を被据付部（図示せず）に直接固定することで、室外ユニット１００を固定する。底板１０１は、金属板をプレス加工によって、フランジ部１０５および据付用脚１０６を一体で形成することができ、作製が容易であった。そのため、底板１０１と据付用脚１０６とを別々に作製した後にそれぞれを結合固定する場合に比べ、容易に作成することができる。
【０００４】
【特許文献１】
特開２００１−３１７７６６号公報
【０００５】
【発明が解決しようとする課題】
上述のように、従来の室外ユニット１００の底板１０１では、その周縁に折曲形成されるフランジ部１０５の複数カ所が切断され外方へ延出される据付用脚１０６として形成される。それにより、フランジ部１０５が連続していない。そのため、このフランジ部１０５の不連続部分（据付用脚１０６を形成した箇所）の強度が低くなり、この箇所で底板１０１が折れ曲がるという問題があった。したがって、底板１０１と据付用脚１０６とを別部品として作製した後に結合固定する場合に比べ、強度が損なわれる。
【０００６】
また、空気調和機の冷凍サイクル運転にともなって、圧縮機１０２や熱交換器１０３等の冷凍サイクルを構成する部品に結露水が生成される。結露水は流下して底板１０１上に溜まることが多いため、底板１０１にドレン穴（図示せず）を形成しておき、そのドレン穴より排水管に結露水を排出するように構成されている。しかし、除霜運転等で、一時に多量の結露水が生成した場合には、底板１０１のフランジ部１０５の不連続部分（据付用脚１０６の形成箇所）より結露水があふれ出ることがあり、室外ユニット１００の設置場所周辺を濡らすという問題もあった。
【０００７】
本発明は、上記問題点に鑑みなされたもので、底板を、フランジ部および据付用脚と一体形成することができ、フランジ部は連続しており、底板が十分な強度を有する空気調和機の室外ユニットを提供することを目的とする。
【０００８】
【課題を解決するための手段】
本発明の空気調和機の室外ユニットは、被据付部に固定されるための据付用脚が一体成形されている底板を備えた空気調和機の室外ユニットであって、前記底板は、前記底板の周縁に沿って上方へ折曲形成されたフランジ部を備え、前記フランジ部は、前記底板の全周に連続して形成されていて、前記据付用脚は、前記フランジ部に接続されている支持部と前記被据付部に直接固定される固定部とを備え、前記フランジ部から延出した部分を折り曲げて形成されていることを特徴とする。
【０００９】
【発明の実施の形態】
本実施の形態の空気調和機の室外ユニットは、底板を、フランジ部および据付用脚と一体形成することができるため、容易に作成することができる。また、フランジ部は連続しているため、底板は十分な強度を有し、かつ、結露水等が底板から漏れ出ることはない。
【００１０】
また、前記支持部は、前記フランジ部に対して略平行となるように形成されていてもよい。それにより、据付用脚の強度が高い。
【００１１】
また、好ましくは、前記支持部と前記フランジ部とは密着している。それにより、据付用脚の強度が高い。
【００１２】
また、好ましくは、前記固定部は、当該支持部に対して略垂直となるように形成されている。それにより、据付用脚の強度が高い。
【００１３】
また、好ましくは、前記固定部は、前記被据付部に対して平行である、それにより、固定部が、被据付部に安定して固定されることになる。
【００１４】
また、前記底板に備えられた前記フランジ部および前記底板に一体成形された前記据付用脚は、金属板をプレス加工することで形成される。それにより、容易に作製することができる。
【００１５】
また、好ましくは、前記据付用脚の前記支持部と前記フランジ部とは、結合固定されている。それにより、据付用脚の強度が高い。
【００１６】
また、好ましくは、前記支持部と前記フランジ部とは、カシメ固定またはネジ固定によって結合固定されている。それにより、強固に結合固定され得る。
【００１７】
以下、本発明の実施形態のさらに具体的な例について図を用いて説明する。
【００１８】
（実施の形態１）
本発明の実施の形態１に係る空気調和機の室外ユニットについて、図１〜図３を用いて説明する。図１は実施の形態１に係る空気調和機の室外ユニット１０の斜視図である。図２は実施の形態１に係る空気調和機の室外ユニット１０に設けられた底板１の斜視図である。図３は実施の形態１に係る空気調和機の室外ユニット１０に設けられた底板１の据付用脚６周辺の断面図である。
【００１９】
図１に示すように、実施の形態１の室外ユニット１０は、底板１上に圧縮機２と熱交換器３と送風機４とを搭載した構成である。図２に示すように、この底板１はその周縁に上方へ折曲形成されるフランジ部５と据付用脚６とを備えている。フランジ部５は、底板１の周縁に沿って、連続して形成されている。つまり、底板１の周縁に上方へ折曲形成されるフランジ部５が、底板１の全周にわたり切れ目無く設けられている。また、図３に示しているように、据付用脚６はフランジ部５と接続されている支持部６ａと被据付部（図示せず）に直接固定される固定部６ｂとを備えている。据付用脚６は、フランジ部５から延出した部分を折り曲げて形成されている。つまり、据付用脚６とフランジ部５とは一体形成することができる。したがって、実施の形態１の室外ユニット１０の底板１はプレス加工によって、据付用脚６およびフランジ部５と一体形成することができる。また、支持部６ａはフランジ部５と略平行であり、両者が密着する構成とすることで、据付用脚６の強度が高くなる。さらに、固定部６ｂは支持部６ａに対して略垂直となるように形成されている。つまり、支持部６ａと固定部６ｂとの断面が、図３に示すように略Ｌ字状とすることで、据付用脚６の強度が増す。また、好ましくは、固定部６ｂは被据付部に平行となるように形成される。それにより、固定部６ｂが、被据付部に安定して固定されることになる。
【００２０】
プレス加工により、フランジ部５だけでなく、据付用脚６も一体形成することができるので、底板１の作製が容易である。その上、フランジ部５は、底板１の周縁に全周に渡って切れ目なく、連続で形成されているので、底板１の強度も高い。
【００２１】
また、空気調和機の冷凍サイクル運転が行われると、圧縮機２や熱交換器３等の冷凍サイクルを構成する部品に結露水が生成される。この結露水は流下して底板１上に溜まることが多いため、底板１にドレン穴（図示せず）を形成しておき、そのドレン穴より排水管に結露水を排出するように構成されている。実施の形態１の室外ユニット１０の底板１には、フランジ部５が切れ目なく連続で形成されている。そのため、かりに除霜運転等で一時に多量の結露水が生成した場合であっても、ドレン穴以外を通って結露水があふれ出る箇所がないため、結露水が、ドレン穴以外の箇所から漏れることはない。
【００２２】
（実施の形態２）
本発明の実施の形態２に係る空気調和機の室外ユニットについて、図４および図５を用いて説明する。図４は実施の形態２に係る空気調和機の室外ユニットに設けられた底板１ａを示す斜視図である。また、図５は実施の形態２に係る空気調和機の室外ユニットに設けられた底板１ａの据付用脚１６周辺の断面図である。実施の形態２の底板１ａは、据付用脚１６の支持部１６ａとフランジ部１５とが結合固定されている点が、実施の形態１の底板１と異なる点であり、その他は同様の構成である。そこで、図４および図５において、図１、図２および図３と同じ構成要素については同じ符号を用い、説明を省略する。
【００２３】
図４および図５に示しているように、実施の形態２の底板１ａにおいて、据付用脚１６の支持部１６ａとフランジ部１５とは結合固定されている。例えば、図示しているように、カシメ部１６ｃを設けて、カシメ固定によって支持部１６ａとフランジ部１５とを結合固定すればよい。カシメ固定の代りに、例えば、ネジによって支持部１６ａとフランジ部１５と結合固定するネジ固定等を用いてもよい。このように、支持部１６ａとフランジ部１５とが結合固定されることにより、据付用脚１６は室外ユニットの底板１ａに強固に固定され、据付用脚１６の強度が増加する。
【００２４】
【発明の効果】
本発明の空気調和機の室外ユニットは、底板と据付用脚とを一体に形成し、さらに、底板の周縁に連続したフランジ部を形成することができる。それにより、容易に作製することができ、底板の強度が高いという効果を奏する。
【図面の簡単な説明】
【図１】本発明の実施の形態１に係る空気調和機の室外ユニット内部を示す斜視図
【図２】本発明の実施の形態１に係る空気調和機の室外ユニットに設けられた底板を示す斜視図
【図３】本発明の実施の形態１に係る空気調和機の室外ユニットに設けられた底板の据付用脚周辺を示す断面図
【図４】本発明の実施の形態２に係る空気調和機の室外ユニットに設けられた底板を示す斜視図
【図５】本発明の実施の形態２に係る空気調和機の室外ユニットに設けられた底板の据付用脚周辺を示す断面図
【図６】従来の空気調和機の室外ユニットの内部を示す斜視図
【図７】従来の空気調和機の室外ユニットに設けられた底板を示す斜視図
【符号の説明】
１、１ａ  底板
２        圧縮機
３        熱交換器
４        送風機
５        フランジ部
６        据付用脚
６ａ      支持部
６ｂ      固定部
６ｃ      カシメ固定部
１０      室外ユニット
１０１    底板
１０２    圧縮機
１０３    熱交換器
１０４    送風機
１０５    フランジ部
１０６    据付用脚
【図１】
2004360942.tif 000003
【図２】
2004360942.tif 000004
【図３】
2004360942.tif 000005
【図４】
2004360942.tif 000006
【図５】
2004360942.tif 000007
【図６】
2004360942.tif 000008
【図７】
2004360942.tif 000009